(57)【要約】【課題】カラー複写機の構成部分であるスキャナとプリンタとについて、それぞれのプロファイルを個別に作成し調節することが容易にできるようにする。【解決手段】  仮の仮のスキャナプロファイル作成し、  オリジナル画像をスキャナでスキャンして仮のスキャナプロファイルを反映させて得た画像を、モニタに表示し、  目視で、モニタに表示した画像の色を、オリジナル画像の色に一致させて、仮のスキャナプロファイルを真のスキャナプロファイルに調節し、  仮のプリンタプロファイルを作成し、  オリジナル画像をスキャナでスキャンして真のスキャナプロファイルを反映させて得た画像を、モニタに表示すると共に、仮のプリンタプロファイルを反映させてプリンタから出力させ、  目視で、プリンタから出力される画像の色を、モニタに表示した画像の色に一致させて、仮のプリンタプロファイルを真のプリンタファイルに調節する。【選択図】なし【特許請求の範囲】
【請求項１】
モニタを有するコンピュータを備え、
仮想的にカラーチャートデータを作成し、このカラーチャートデータの測色値を得、この測色値を基に、仮のスキャナプロファイルを作成する機能と、
オリジナル画像をスキャナでスキャンして仮のスキャナプロファイルを反映させて得た画像を、モニタに表示する機能と、
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する機能と、
仮想的にカラーチャートデータを作成し、このカラーチャートデータの測色値を得、この測色値を基に、仮のプリンタプロファイルを作成する機能と、
オリジナル画像をスキャナでスキャンして真のスキャナプロファイルを反映させて得た画像を、モニタに表示すると共に、仮のプリンタプロファイルを反映させてプリンタから出力させる機能と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する機能とを有し、
前記スキャナとプリンタとがカラー複写機の構成部分であることを特徴とするカラー複写機用プロファイル作成システム。
【請求項２】
モニタを有するコンピュータが実行する方法であって、
仮想的にカラーチャートデータを作成し、このカラーチャートデータの測色値を得、この測色値を基に、仮のスキャナプロファイルを作成する工程と、
オリジナル画像をスキャナでスキャンして仮のスキャナプロファイルを反映させて得た画像を、モニタに表示する工程と、
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する工程と、
仮想的にカラーチャートデータを作成し、このカラーチャートデータの測色値を得、この測色値を基に、仮のプリンタプロファイルを作成する工程と、
オリジナル画像をスキャナでスキャンして真のスキャナプロファイルを反映させて得た画像を、モニタに表示すると共に、仮のプリンタプロファイルを反映させてプリンタから出力させる工程と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する工程とを含み、
前記スキャナとプリンタとがカラー複写機の構成部分であることを特徴とするカラー複写機用プロファイル作成方法。
【請求項３】
モニタを有するコンピュータに、
仮想的にカラーチャートデータを作成し、このカラーチャートデータの測色値を得、この測色値を基に、仮のスキャナプロファイルを作成する工程と、
オリジナル画像をスキャナでスキャンして仮のスキャナプロファイルを反映させて得た画像を、モニタに表示する工程と、
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する工程と、
仮想的にカラーチャートデータを作成し、このカラーチャートデータの測色値を得、この測色値を基に、仮のプリンタプロファイルを作成する工程と、
オリジナル画像をスキャナでスキャンして真のスキャナプロファイルを反映させて得た画像を、モニタに表示すると共に、仮のプリンタプロファイルを反映させてプリンタから出力させる工程と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する工程とを実行させ、
前記スキャナとプリンタとがカラー複写機の構成部分であることを特徴とするカラー複写機用プロファイル作成プログラム。
【請求項４】
請求項３記載のカラー複写機用プロファイル作成プログラムを記録した記録媒体。
【発明の詳細な説明】
【技術分野】
【０００１】
本発明は、カラー複写機用にプロファイルを作成する技術に関する。
【背景技術】
【０００２】
一般に、カラー複写機は、スキャナとプリンタとが一体化されており、紙などの有体物に描かれている画像を、スキャナでスキャンして、プリンタから出力するものである。ここで、紙などの有体物に描かれている画像を、オリジナル画像と呼ぶことにする。
【０００３】
オリジナル画像の色と、この画像をスキャナでスキャンしてプリンタから出力したものの色とを一致させるには、スキャナとプリンタとの間で、それぞれのカラースペースを合せるカラーマッチングを行えば良い。このカラーマッチングには、スキャナの色特性を記したスキャナプロファイルと、プリンタの色特性を記したプリンタプロファイルとが必要になる。
【０００４】
スキャナプロファイルは、ある規定のカラーチャートをスキャナでスキャンし、その測色値を用いることで作成される。また、必要があれば、経験的な感性で、スキャナプロファイルを調節する。
【０００５】
またプリンタプロファイルは、ある規定のカラーチャートを出力し、その測色値を用いることで作成される。また、必要があれば、経験的な感性で、プリンタプロファイルを調節する。
【０００６】
しかしながら、カラー複写機では、スキャナとプリンタとが一体化しているために、スキャナのスキャンしたデータを得ることも、プリンタ独自の色特性を掴むことも困難であり、それゆえ、スキャナプロファイルと、プリンタプロファイルとを、個別に作成し調節することが難しいという問題がある。
【０００７】
そこで、従来、カラー複写機において、スキャナとプリンタとの間のカラーマッチングは、オリジナル画像と、この画像をスキャナでスキャンしてプリンタから出力したものとを、見比べて、両者が同じ色になるように、試行錯誤しながら、１つの色変換テーブルを調節することで行っている。
【発明の開示】
【発明が解決しようとする課題】
【０００８】
本発明は斯かる背景技術を鑑みてなされたもので、カラー複写機の構成部分であるスキャナとプリンタとについて、それぞれのプロファイルを個別に作成し調節することが容易にできるようにすることを課題とする。
【課題を解決するための手段】
【０００９】
本発明において上記課題を達成するために、まず請求項１の発明では、モニタを有するコンピュータを備え、
仮想的にカラーチャートデータを作成し、このカラーチャートデータの測色値を得、この測色値を基に、仮のスキャナプロファイルを作成する機能と、
オリジナル画像をスキャナでスキャンして仮のスキャナプロファイルを反映させて得た画像を、モニタに表示する機能と、
目視で、モニタに表示した画像の色を、オリジナル画像の色に一致させて、この一致に
要する差分値を求め、この差分値を、仮のスキャナプロファイルのルックアップテーブルに加えて、仮のスキャナプロファイルを真のスキャナプロファイルに調節する機能と、
仮想的にカラーチャートデータを作成し、このカラーチャートデータの測色値を得、この測色値を基に、仮のプリンタプロファイルを作成する機能と、
オリジナル画像をスキャナでスキャンして真のスキャナプロファイルを反映させて得た画像を、モニタに表示すると共に、仮のプリンタプロファイルを反映させてプリンタから出力させる機能と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する機能とを有し、
前記スキャナとプリンタとがカラー複写機の構成部分であることを特徴とするカラー複写機用プロファイル作成システムとしたものである。
【００１０】
また請求項２の発明では、モニタを有するコンピュータが実行する方法であって、
仮想的にカラーチャートデータを作成し、このカラーチャートデータの測色値を得、この測色値を基に、仮のスキャナプロファイルを作成する工程と、
オリジナル画像をスキャナでスキャンして仮のスキャナプロファイルを反映させて得た画像を、モニタに表示する工程と、
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する工程と、
仮想的にカラーチャートデータを作成し、このカラーチャートデータの測色値を得、この測色値を基に、仮のプリンタプロファイルを作成する工程と、
オリジナル画像をスキャナでスキャンして真のスキャナプロファイルを反映させて得た画像を、モニタに表示すると共に、仮のプリンタプロファイルを反映させてプリンタから出力させる工程と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する工程とを含み、
前記スキャナとプリンタとがカラー複写機の構成部分であることを特徴とするカラー複写機用プロファイル作成方法としたものである。
【００１１】
また請求項３の発明では、モニタを有するコンピュータに、
仮想的にカラーチャートデータを作成し、このカラーチャートデータの測色値を得、この測色値を基に、仮のスキャナプロファイルを作成する工程と、
オリジナル画像をスキャナでスキャンして仮のスキャナプロファイルを反映させて得た画像を、モニタに表示する工程と、
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する工程と、
仮想的にカラーチャートデータを作成し、このカラーチャートデータの測色値を得、この測色値を基に、仮のプリンタプロファイルを作成する工程と、
オリジナル画像をスキャナでスキャンして真のスキャナプロファイルを反映させて得た画像を、モニタに表示すると共に、仮のプリンタプロファイルを反映させてプリンタから出力させる工程と、
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する工
程とを実行させ、
前記スキャナとプリンタとがカラー複写機の構成部分であることを特徴とするカラー複写機用プロファイル作成プログラムとしたものである。
【００１２】
また請求項４の発明では、請求項３記載のカラー複写機用プロファイル作成プログラムを記録した記録媒体としたものである。
【発明の効果】
【００１３】
本発明は、カラー複写機の構成部分であるスキャナとプリンタとについて、それぞれのプロファイルを個別に作成し調節することが容易にできるという効果がある。
【発明を実施するための最良の形態】
【００１４】
以下に、本発明の最良の一実施形態を説明する。
【００１５】
本実施形態で、スキャナ或はプリンタと云えば、それぞれ、カラー複写機が備えるものを意味する。
【００１６】
本実施形態のカラー複写機用プロファイル作成システムは、モニタを有するパソコンを備える。
【００１７】
以下に、本実施形態のカラー複写機用プロファイル作成システムが実行するスキャナプロファイルとプリンタプロファイルとの作成に係る処理の流れの例を説明する。
【００１８】
Ｓ（ＳＴＥＰ）１：
パソコンで、仮想的にカラーチャートデータを作成し、このカラーチャートデータの測色値を得、この測色値を基に、仮のスキャナプロファイルを作成する。
【００１９】
カラーチャートデータは、様々な色のデータを含み、カラーチャートデータの測色値とは、これらの色の測色値を意味する。
【００２０】
表１に、カラーチャートデータに含まれる各色のデータの例を示す。この例では、各色のデータは、ＲＧＢそれぞれについて、５ステップごとの値で示されている。
【００２１】
【表１】
2006094101.tif 000002
また表２に、表１にデータが掲載されている各色の測色値を、Ｌａｂ値で表した例を示す。
【００２２】
【表２】
2006094101.tif 000003
Ｓ（ＳＴＥＰ）２；
オリジナル画像をスキャナでスキャンして仮のスキャナプロファイルを反映させて得た画像を、モニタに表示する。
【００２３】
Ｓ（ＳＴＥＰ）３；
目視で、モニタに表示した画像の色を、オリジナル画像の色に一致させて、この一致に要する差分値を求め、この差分値を、仮のスキャナプロファイルのルックアップテーブルに加えて、仮のスキャナプロファイルを真のスキャナプロファイルに調節する。
【００２４】
例えば、目視により、オリジナル画像とモニタ上の画像とを比べて、モニタ上の画像がオリジナル画像よりの全体的に赤っぽいならば、全体的に赤を抑えるような差分値が、仮のスキャナプロファイルのルックアップテーブルに加えられる。
【００２５】
スキャナプロファイルのルックアップテーブルには、１ＤＬＵＴと３ＤＬＵＴとがある。
【００２６】
Ｓ（ＳＴＥＰ）４；
パソコンで、仮想的にカラーチャートデータを作成し、このカラーチャートデータの測色値を得、この測色値を基に、仮のプリンタプロファイルを作成する。
【００２７】
このカラーチャートは、仮のスキャナプロファイルを作成するためのカラーチャートと同じものである。
【００２８】
Ｓ（ＳＴＥＰ）５；
オリジナル画像をスキャナでスキャンして真のスキャナプロファイルを反映させて得た画像を、モニタに表示すると共に、仮のプリンタプロファイルを反映させてプリンタから出力させる。
【００２９】
Ｓ（ＳＴＥＰ）６；
目視で、プリンタから出力される画像の色を、モニタに表示した画像の色に一致させて、この一致に要する差分値を求め、この差分値を、仮のプリンタプロファイルのルックアップテーブルに加えて、仮のプリンタプロファイルを真のプリンタファイルに調節する。
【００３０】
例えば、目視により、プリンタから出力された画像とモニタ上の画像とを比べて、プリンタから出力された画像がモニタ上の画像よりの全体的に赤っぽいならば、全体的に赤を抑えるような差分値が、仮のプリンタプロファイルのルックアップテーブルに加えられる。
【００３１】
プリンタプロファイルのルックアップテーブルには、１ＤＬＵＴと３ＤＬＵＴと４ＤＬＵＴとがある。